(57)【要約】【課題】  本発明の課題は、パチンコ玉の上昇搬送装置をよりコンパクトにし、玉詰まりを自動解消して、玉の上昇搬送を自動制御可能なパチンコ機を提供することにある。【解決手段】  傾斜させて上方へ伸ばした溝でパチンコ玉をガイドし、溝に沿わせたスパイラルコイルの下、溝側の線にパチンコ玉の一部が乗るように位置して転がし上げる手段で、溝ガイド板のパチンコ玉を配送管へ出す穴の上部に、エラーで穴を通り越したパチンコ玉を、スパイラルコイルの内空側へ押し出す突起を設けて、パチンコ玉がスパイラルコイルの端に詰まる事無く再搬送できる手段とした。パチンコ玉を転がし送る手段の途中にパチンコ玉通過センサーを設けて、パチンコ玉の通過情報を得る構造とし、スパイラルコイルの回転を制御可能にして、パチンコゲーム盤面からの出玉情報とセンサーの玉通過情報で、スパイラルコイルの回転を制御し、パチンコ玉の循環を制御可能に成した、スパイラル玉送りパチンコ機。【選択図】図２
2008149082.tif 000002
【特許請求の範囲】
【請求項１】
パチンコ玉を機内に封入循環して遊技する、パチンコ機の玉受け下皿部分のホッパーから、玉ガイドとコイル回転でパチンコ玉を上昇搬送するパチンコ機に於いて、傾斜させて上方へ伸ばした溝でパチンコ玉をガイドし、該溝に沿わせたスパイラルコイルの下側にパチンコ玉を接触し、転がして上昇搬送する手段と、溝上方でパチンコ玉が溝の穴を抜け出、配送管と上皿を経て打撃部へ転がり搬送する手段と、溝上方パチンコ玉が抜け出る穴での、抜けエラーの玉を押し戻す突起を具備したことを特徴とする、スパイラル玉送りパチンコ機。
【請求項２】
傾斜させて上方へ伸ばした溝でパチンコ玉をガイドし、溝に沿わせたスパイラルコイルでパチンコ玉を転がして上げる手段の、スパイラルコイルのピッチ間隔をパチンコ玉径より広く設けたこと、玉抜けエラーでコイル内空側へ押し出し、落下するパチンコ玉の通過が容易なコイル内径を具備する、請求項１のスパイラル玉送りパチンコ機。
【請求項３】
パチンコ玉を転がし送る手段の途中に玉通過センサーを設け、パチンコ玉の通過情報を得ることを特徴とする請求項１のスパイラル玉送りパチンコ機。
【請求項４】
パチンコ玉を転がして上昇搬送するスパイラルコイル駆動モーターの回転数制御と、パチンコゲームでの玉通過頻度の情報と、パチンコ機の出玉情報で、パチンコ玉の上昇搬送速度を変え、パチンコ玉の循環制御を可能にした、請求項１のスパイラル玉送りパチンコ機。
【発明の詳細な説明】
【技術分野】
【０００１】  本発明は、パチンコ機のパチンコ玉を上昇搬送する手段で、パチンコ玉を下皿から上皿へ上昇循環する場合の玉詰まりエラーを無くし、玉循環を遊技の状況に合わせて、より制御的に搬送を行うパチンコ機に関するものである。
【背景技術】
【０００２】  従来のパチンコ機は貸し玉を一旦上皿に溜め、皿底の傾斜による自然転で打撃部へ送り遊技用の打球に供せられる。上皿の玉数が多くなれば、下皿へ移し変えて溜め、上皿の打球が少なくなった場合の補給に備える。パチンコ遊技場では複数個のパチンコ遊技機があり、それぞれのアウト玉はまとめてバケットコンベアーでパチンコ機上部の貯留供給タンクへ上昇搬送され、このタンクから必要に応じて各パチンコ機へ配送されものがある。または螺旋コイルと、螺旋コイルの外周側から螺旋コイルのピッチ間の間隙にパチンコ玉の一部が入り込むことによってパチンコ玉を搬送することが出来るように、螺旋コイル保持部の半径方向外側に形成されたパチンコ玉移動用案内部を有し、螺旋コイルの回転でパチンコ玉移動用案内部に沿いパチンコ玉を搬送する、パチンコ玉搬送装置が提案されている。
【特許文献１】  特開平７−１１６３３１      号  公報
【特許文献２】  特開平１０−２４９０４１    号  公報
【特許文献３】  特開２００３−１９３２１    号  公報
【発明の開示】
【発明が解決しようとする課題】
【０００３】  従来のパチンコ玉搬送装置のバケットコンベアー等を用いて、ある程度高い位置に設置された貯留供給タンクにパチンコ玉を上昇搬送し、貯留供給タンクからはパチンコ玉の自重で目的の位置まで落下あるいは転がり搬送するものがある。この場合、パチンコ玉を水平移動させるなど抵抗の多い搬送をすると、搬送路の途中でパチンコ玉が停止して搬送路が詰まることがある。搬送用の落差が必要で設計上の自由度が少ない等の難点がある。バケットコンベアー等を用いたパチンコ玉の上昇搬送は、搬走路の占有空間が大きくなる等、設計上の配慮が必要となる。また、螺旋コイルの外周側から、螺旋コイルのピッチ間にパチンコ玉の一部を入り込ませて、パチンコ玉をガイドする導入路を設け、螺旋コイルを駆動回転して、パチンコ玉を回転させながら搬送するものが提案されている。この場合はパチンコ玉や、導入路に汚れが付着するなどで抵抗が増えると玉が詰まり、コイルの回転がかたくなる等で、パチンコ玉の搬送が出来なくなる。本発明の課題は、パチンコ玉封入タイプのパチンコ機の玉上昇搬送装置をよりコンパクトにし、玉詰まりを自動解消して、玉の上昇搬送速度が自動制御可能なパチンコ機を提供することにある。
【課題を解決するための手段】
【０００４】  本発明は、上記課題を解決し目的を達成するために、パチンコ玉をＶ字あるいはＵ字形の溝で規制し、レール様に成して上方へ延長傾斜させ、パチンコ玉をガイドして上下に転動できる状態で、Ｖ字あるいはＵ字形溝の横断面の溝の反対側開口部分を広げて、スパイラルコイルが収まるように沿わせる。そして丁度スパイラルコイルの下、溝側の螺旋状の線にパチンコ玉の一部が乗るように成してある。スパイラルコイルを回転すると、パチンコ玉は転がりながら溝レール板に沿って上昇し、スパイラルコイルの回転で上昇搬送する手段である。【０００５】  溝レール板上方の適宜位置にパチンコ玉が溝から抜け出る穴と、この穴から抜け落ちたパチンコ玉を受けて上皿へ傾斜して転がり送る配送管を設けてある。パチンコ玉はこの配送管を通って上皿へ送られ、傾斜した上皿を経て打撃部へ転がり送られる。溝レール板の下方部で下皿から転がり来たパチンコ玉がホッパー部分で溝レール板の溝に転がり込み、スパイラルコイル螺旋の線に一部乗るように位置して、スパイラルコイルの回転で、転がし上げられる構造である。パチンコ玉をガイドする溝レール板上部のパチンコ玉が配送管へ抜け出る穴の上部には、玉抜けエラーで上昇するパチンコ玉をスパイラルコイルの内径内空側へ突き出すパチンコ玉の玉戻し突起が設けてある。パチンコ玉が抜け出る穴を何らかの不都合で通り越すような玉抜けエラーが有った場合、パチンコ玉は玉戻し突起でスパイラルコイルの内径内空側へ突き出されて落下させられる。落下したパチンコ玉はスパイラルコイルの下の方で再度溝側に入り込み、スパイラルコイルの螺旋状の線上に位置し、スパイラルコイルで転がし上げられる。通常にはパチンコ玉が抜け出る、抜け穴から抜け出し、上皿循環配管で受け、転動で送る構造で、上皿を経て打撃部へ送られる。溝レール板からの玉抜けエラーのパチンコ玉を玉戻し突起が、スパイラルコイル内径内空へ押し出して再昇送出来るようにしたことで、スパイラルコイルの上端にパチンコ玉が詰まる、上昇搬送での不都合を防止する。【０００６】  パチンコ玉をＶ字あるいはＵ字形の溝でガイドして、パチンコ玉が溝レール板に沿って上下に転動できる形態になして、溝に沿わせたスパイラルコイルの螺旋状の線に、パチンコ玉の一部が乗るように位置してある。溝に沿わせるスパイラルコイルのピッチの間隔をパチンコ玉径より広く設けて、玉抜けエラーでパチンコ玉が抜け出る抜け穴を通り越して、なお上昇した場合、パチンコ玉は玉戻し突起でコイル内空側へ押し出される、この場合にパチンコ玉がスパイラルコイルのピッチの間を容易に通過できるピッチ間隔としてある。また、スパイラルコイルの内空部内径は押し出されたパチンコ玉が落下し、通過するに十分な内径を有し、パチンコ玉の搬送エラーを防止する。【０００７】  パチンコ玉を上昇搬送する溝レール板の、パチンコ玉が抜け出る抜け穴の下側、あるいは、パチンコ玉が抜け出る穴から抜け落ちたパチンコ玉を、受けて上皿へ転がり送る上皿循環配管の途中などに、パチンコ玉の通過をセンシングするセンサーを設ける。センサーからのパチンコ玉通過情報と、パチンコゲーム盤面のゲームによるゲーム機内の出玉情報から、パチンコ玉の循環を予め定め���速度範囲で制御する構成とした。これらの構成とパチンコ玉の通過情報、出玉情報から、パチンコ玉を上昇搬送する、駆動モーターの回転数を変え、スパイラルコイルの送り回転を変化して、パチンコ玉の循環を制御する手段である。
【発明の効果】
【０００８】  本発明は前記のような手段を講じたことにより、次のような効果を得る。請求項１の発明は、パチンコ玉を機内に封入循環して遊技するパチンコ機の、玉受け下皿部分のホッパーから、玉ガイドとコイル回転でパチンコ玉を上昇搬送するパチンコ機で、パチンコ玉を溝レール板でガイドし、溝断面の溝の反対側の開口部分を広げた内側にスパイラルコイルを収めて、パチンコ玉がスパイラルコイルの一部に乗るようにし、スパイラルコイルを回転させて、パチンコ玉を転がしながら上昇搬送する。溝レール板の上方に、パチンコ玉が抜け出る、抜け穴を設け、この穴から抜け出たパチンコ玉を受けて上皿へ送る配送管を設けた、パチンコ玉の転がり搬送装置を備えたパチンコ機である。【０００９】  そして、パチンコ玉をガイドする溝レール板のパチンコ玉が配送管へ抜け出る穴の上方部に、パチンコ玉をスパイラルコイルの内径内空側へ突き出す、玉戻し突起が設けてある。この様な構成で、上昇するパチンコ玉が抜け出るべき抜け穴を何らかの不都合で通り越した抜けエラーの場合、パチンコ玉は玉戻し突起でスパイラルコイルの内径内空側へ突き出される。突き出されて落下するパチンコ玉は、搬送部が傾斜していることから、スパイラルコイルの下方で再度溝側に入り込み、スパイラルコイルで転がし上げられる。この様に再上昇搬送出来る構造と、玉戻し突起の詰まり防止作用で、スパイラルコイルの上端にパチンコ玉が詰まって上昇搬送出来ない不都合を防止できる。パチンコ玉の上昇ガイドに板曲げの溝レール板と、上昇搬送の搬送はスパイラルコイルの傾斜線での転がりを利用する単純な構造で、占有するスペースが少なく、パチンコ機内に装置する上で、より小スペースな設計とすることが可能となる。【００１０】  請求項２の発明は、傾斜させて上方へ伸ばした溝でパチンコ玉をガイドし、溝に沿わせるスパイラルコイルのピッチ間隔をパチンコ玉径より広く設け、パチンコ玉がスパイラルコイルのピッチの間を容易に通過するピッチ間隔にして、パチンコ玉の通過でスパイラルコイルにゆがみ等の力を与えない。またパチンコ玉が玉戻し突起で、コイル内空側へ押し出された場合、スパイラルコイルの内径を大きく、広いコイル内空としたことで、押し出されたパチンコ玉がスムーズに落下し、通過するに十分な内径を有して、コイル下方で溝に入り込むことも容易になり、パチンコ玉の再上昇搬送がスムーズに行われ、上昇トラブルが解消する。【００１１】  請求項３の発明は、パチンコ玉を転がし送る手段の途中に玉通過センサーを設けて、パチンコ玉通過情報を得、またパチンコゲーム機内のゲームによる出玉情報などからパチンコ機の玉循環に必要な量的速度を推計することと、請求項４の、パチンコ玉を転がして上げる上昇搬送の、スパイラルコイル駆動モーターの回転を制御する事で、パチンコ玉の循環を制御可能にする。これらの構成と手段で、パチンコ玉の循環を制御して、パチンコ玉封止のパチンコ機でゲームに利用可能なパチンコ玉を打撃部へ適宜に循環可能と成した。
【実施例】
【００１２】  以下、本発明の一実施例を図面に示して説明する。「図１」、「図２」、「図３」、に本発明の実施例を示した。本実施例は、パチンコ玉６を封止して遊技する、スパイラル玉送りパチンコ機１で、パチンコ玉６が下皿４のホッパー部で溝へ転がり込み、転がり込んだ玉は、上昇搬送パチンコ玉６ｄとしてＵ字形の溝でガイドされる。溝はレール様にして上方へ延長傾斜させ、板曲げで成した溝レール板８である。ホッパー部の溝に転がり込んだ、パチンコ玉６、つまり上昇搬送パチンコ玉６ｄは、溝レール板８で溝に沿ってガイドされ、上昇搬送パチンコ玉６ｄは溝レール板８の溝で上下に転動できる。溝レール板８の横断面で溝の反対側開口部板を広げ、スパイラルコイル７が収まるようにして溝に沿わせてある。スパイラルコイル７の溝側、下の螺旋状の線に、上昇搬送パチンコ玉６ｄの一部が乗るように位置してある。スパイラルコイル７を駆動回転すると、上昇搬送パチンコ玉６ｄはスパイラルコイル７の螺旋の線で転がされ、溝レール板８に沿って転動する。スパイラルコイル７を上昇する側に回転して上昇搬送パチンコ玉６ｄが上昇する、上昇搬送手段とした。【００１３】  溝レール板８の上方の位置で、上皿循環パチンコ玉６ｃが抜け出る抜け穴１１と、この抜け穴１１から抜け出た、上皿循環パチンコ玉６ｃを受けて上皿３へ、傾斜の落差で転がり送る、上皿循環配管１０などが設けてある。上皿循環パチンコ玉６ｃは、この搬送管、上皿循環配管１０を通って上皿３へ送られ、上皿３を経て図示しない打撃部へ転がり送られる。溝レール板８の下方側で下皿４から転がり来た、上昇搬送パチンコ玉６ｄが溝レール板８の溝部分に転がり込み、スパイラルコイル７で転がし上げられる構造である。上昇搬送パチンコ玉６ｄをガイドする溝レール板８の、上皿循環配管１０へ抜け出る抜け穴１１の上方部に、エラー戻りパチンコ玉６ｂをスパイラルコイル７の内径側、コイル内空１５へ突き出す玉戻し突起１２が設けてある。【００１４】  上昇搬送パチンコ玉６ｄが抜け出る、抜け穴１１を何らかの不都合で通り越すような、抜けエラーが有った場合、エラー戻りパチンコ玉６ｂは玉戻し突起１２でスパイラルコイル７の内径側コイル内空１５へ突き出されて落下させられる。突き出して落下したエラー戻りパチンコ玉６ｂは、スパイラルコイル７の下方で再度溝に入り込み、スパイラルコイル７の螺旋状の線に乗るように位置して、転がし上げられる。上昇搬送パチンコ玉６ｄは、溝レール板８の抜け穴１１から上皿循環配管１０へ抜け出る構造で、傾斜の落差で転がり送られ、上皿３を経て図示しない打撃部へ送られ、遊技用打球に供せられる。スパイラルコイル７の上端で、上昇搬送パチンコ玉６ｄが詰まって搬送できない等の不都合を防止する玉戻し突起１２が、エラーで上昇する、エラー戻りパチンコ玉６ｂをコイル内空１５へ押し出して、落下させ再昇送するように成して有る。【００１５】  上昇搬送パチンコ玉６ｄが溝レール板８の溝で上下に転動できる状態で、スパイラルコイル７の螺旋状の線に一部が乗るように位置した、上昇搬送パチンコ玉６ｄの昇送部で、溝に沿わせるスパイラルコイル７のピッチの間隔を、パチンコ玉６の径より広く設け、玉抜けエラーで、エラー戻り���チンコ玉６ｂが抜け穴１１を通り越して、尚上昇した場合のエラー戻りパチンコ玉６ｂが、玉戻し突起１２でコイル内空１５へ押し出される場合、エラー戻りパチンコ玉６ｂが、スパイラルコイル７のピッチ間を容易に通過するピッチ間隔とした。また、スパイラルコイル７のコイル内空１５は押し出されたエラー戻りパチンコ玉６ｂが、落下、通過するに十分なコイル内空１５を有している。【００１６】  上昇搬送パチンコ玉６ｄを上昇搬送する溝レール板８の、上昇搬送パチンコ玉６ｄが抜け出る、抜け穴１１の下側で上昇搬送パチンコ玉６ｄを、または、上皿３へ転がり送る、上皿循環配管１０の途中の上皿循環パチンコ玉６ｃの通過をセンシングするセンサー１３を設ける。センサー１３からのパチンコ玉通過情報と、パチンコゲーム盤面２のゲームによる出玉情報から、パチンコ玉の循環を制御する情報を得る構成に成した。更に上昇搬送パチンコ玉６ｄを上昇搬送する、スパイラルコイル７の駆動モーター回転数を制御する機構に成した。これらの機構、構成と、パチンコ玉の通過情報、出玉情報から、上昇搬送パチンコ玉６ｄを上昇搬送する、スパイラルコイル７の回転数を制御して、パチンコ玉の循環を制御可能に成した。
【図面の簡単な説明】
【００１７】
【図１】本発明、スパイラル玉送りパチンコ機の一実施例正面図である。
【図２】スパイラル玉送りパチンコ機の、側断面部分図である。
【図３】本実施例のパチンコ玉、溝ガイドとスパイラルコイルの部分断面図である。
【符号の説明】
【００１８】        １    スパイラル玉送りパチンコ機
２    パチンコゲーム盤面
３    上皿
４    下皿
５    ハンドル
６    パチンコ玉
６ｂ    エラー戻りパチンコ玉
６ｃ    上皿循環パチンコ玉
６ｄ    上昇搬送パチンコ玉
７    スパイラルコイル
８    溝レール板
９    駆動端
１０    上皿循環配管
１１    抜け穴
１２    玉戻し突起
１３    センサー
１４    センシング穴
１５．  コイル内空
【図１】
2008149082.tif 000003
【図２】
2008149082.tif 000004
【図３】
2008149082.tif 000005